(57)【要約】【課題】  記録シートへの印刷ジョブに関する情報だけが必要な場合のように、一つの印刷ジョブに対して１枚の記録シートだけにＲＦＩＤタグが付与されていれば十分な場合であっても、高価なＲＦＩＤタグが印刷した全ての記録シートに付与されてしまい、印刷コストがアップする等の不具合があった。【解決手段】  入力された印刷ジョブに従って、画像データに応じて記録シートに画像を印刷し、その印刷ジョブが指定している枚数分の記録シートへの印刷が終了すると、その最後の記録済み記録シートに対してのみ、ＲＦＩＤタグを付与し（Ｓ８）、そのＲＦＩＤタグに、その印刷ジョブに関するデータを書込む（Ｓ９）。【選択図】  図１５
2005053077.tif 000002
【特許請求の範囲】
【請求項１】
入力された画像データに応じて記録媒体に画像を形成する像形成手段と、
前記記録媒体の少なくとも一つ以上に付属するＲＦＩＤタグと、
前記ＲＦＩＤタグにデータを書き込む書き込み手段と、
前記ＲＦＩＤタグに記録されたデータを読み取る読み取り手段と、
入力されたデータに基づいてデータの編集を行うデータ編集手段と、
前記編集手段により編集されたデータを前記書き込み手段により、
所定のＲＦＩＤ記録媒体に書き込むよう制御する制御手段と、
を有することを特徴とする画像形成装置。
【請求項２】
入力された画像データに応じて記録媒体に画像を形成する像形成手段と、
前記像形成手段により像形成された記録媒体にＲＦＩＤタグを付与するタグ付与手段と、
前記ＲＦＩＤタグにデータを書き込む書込み手段と、
前記ＲＦＩＤタグに記憶されたデータを読み取る読取り手段と、
前記像形成手段により画像が形成された所定量の記録媒体毎に前記タグ付与手段により前記ＲＦＩＤタグを付与し、当該ＲＦＩＤタグに前記書込み手段によりデータを書込むように制御する制御手段と、
を有することを特徴とする画像形成装置。
【請求項３】
前記制御手段は、前記像形成手段により画像を形成するように指示する画像形成ジョブで画像が形成される記録媒体の最終の記録媒体に対して前記ＲＦＩＤタグを付与して前記データを書込むように制御することを特徴とする請求項２に記載の画像形成装置。
【請求項４】
前記制御手段により書込まれる前記データは、前記画像形成ジョブで共通しているタグデータであることを特徴とする請求項３に記載の画像形成装置。
【請求項５】
前記像形成手段は、電子写真法により記録媒体に画像を転写した後、定着器により画像を記録媒体に定着させて画像を形成するものであり、前記タグ付与手段は前記定着器の後段に設けられていることを特徴とする請求項２に記載の画像形成装置。
【請求項６】
入力された画像データに応じて記録媒体に画像を形成する像形成手段と、
前記像形成手段により像形成された記録媒体にＲＦＩＤタグを付与するタグ付与手段と、
前記ＲＦＩＤタグにデータを書き込む書込み手段と、
ユーザを特定する生体情報を入力する生体情報入力手段と、
前記生体情報入力手段により入力された前記生体情報を、前記像形成手段により画像が形成された前記記録媒体の前記ＲＦＩＤタグに、前記書込み手段により書込むように制御する制御手段と、
を有することを特徴とする画像形成装置。
【請求項７】
入力された画像データに応じて記録媒体に画像を形成する像形成手段と、
前記像形成手段により像形成された記録媒体にＲＦＩＤタグを付与するタグ付与手段と、
記録媒体に付与されたＲＦＩＤタグを読み取る読取り手段と、
ユーザを特定する生体情報を入力する生体情報入力手段と、
前記生体情報入力手段により入力された前記生体情報と、前記読取り手段により読み取ったデータとを当該記録媒体の前記ＲＦＩＤタグと対応付けて記憶する記憶手段と、
を有することを特徴とする画像形成装置。
【請求項８】
入力された画像データに応じて記録媒体に画像を形成する像形成工程と、
前記像形成工程で像形成された記録媒体にＲＦＩＤタグを付与するタグ付与工程と、
前記ＲＦＩＤタグにデータを書き込む書込み工程と、
前記ＲＦＩＤタグに記憶されたデータを読み取る読取り工程と、
前記像形成工程で画像が形成された所定量の記録媒体毎に前記ＲＦＩＤタグを付与し、当該ＲＦＩＤタグにデータを書込むように制御する制御工程と、
を有することを特徴とする画像形成装置における制御方法。
【請求項９】
前記制御工程では、前記像形成工程で画像を形成するように指示する画像形成ジョブで画像が形成される記録媒体の最終の記録媒体に対して前記ＲＦＩＤタグを付与して前記データを書込むように制御することを特徴とする請求項８に記載の制御方法。
【請求項１０】
前記制御工程で書込まれる前記データは、前記画像形成ジョブで共通しているタグデータであることを特徴とする請求項９に記載の制御方法。
【請求項１１】
前記像形成工程では、電子写真法により記録媒体に画像を転写した後、定着器により画像を記録媒体に定着させて画像を形成するものであり、前記タグ付与工程は前記定着器の後段に設けられていることを特徴とする請求項８に記載の制御方法。
【請求項１２】
入力された画像データに応じて記録媒体に画像を形成する像形成工程と、
前記像形成工程で像形成された記録媒体にＲＦＩＤタグを付与するタグ付与工程と、
前記ＲＦＩＤタグにデータを書き込む書込み工程と、
ユーザを特定する生体情報を入力する生体情報入力工程と、
前記生体情報入力工程で入力された前記生体情報を、前記像形成工程で画像が形成された前記記録媒体の前記ＲＦＩＤタグに、前記書込み工程で書込むように制御する制御工程と、
を有することを特徴とする画像形成装置における制御方法。
【請求項１３】
入力された画像データに応じて記録媒体に画像を形成する像形成工程と、
前記像形成工程で像形成された記録媒体にＲＦＩＤタグを付与するタグ付与工程と、
記録媒体に付与されたＲＦＩＤタグを読み取る読取り工程と、
ユーザを特定する生体情報を入力する生体情報入力工程と、
前記生体情報入力工程で入力された前記生体情報と、前記読取り工程で読み取ったデータとを当該記録媒体の前記ＲＦＩＤタグと対応付けてメモリに記憶する記憶工程と、
を有することを特徴とする制御方法。
【発明の詳細な説明】
【技術分野】
【０００１】
本発明は、画像が印刷された記録媒体に付与されたＲＦＩＤタグのデータを読み取る、或いはタグデータを書込むことができる画像形成装置及び該装置における制御方法に関するものである。
【背景技術】
【０００２】
近年、情報伝達技術の発展に伴い、情報セキュリティの重大さが認識され、情報の漏洩、不正アクセス、改竄などを防止する情報セキュリティ技術が注目を浴びている。複写機、プリンタ、ＦＡＸなどの画像形成装置においても、従来より、ネットワークセキュリティを強化する技術や、機器内の電子データを保護する技術、また機器を操作するユーザを特定するためのＩＤ番号入力や、カードなどを用いて、操作できる／できないを制限する技術、即ち、画像形成装置により画像が形成された記録シートのデータの使用、改竄、不正アクセスを保護する技術が多数提案されている。
【０００３】
また紙にプリントされた画像を不正コピーする行為を防止する方法についても、例えば特許文献１では、転写シート上にＲＦＩＤタグを備え、そこにユーザＩＤ番号などを書き込み、画像がプリントされたシートに個人情報を関連付けて、画像情報の不正使用を防止する手法などが提案されている。
【特許文献１】特開２００２−３３７４２６号公報
【発明の開示】
【発明が解決しようとする課題】
【０００４】
またこのＲＤＩＦタグには、予め定められたデータしか記憶していなかったため、例えば、画像形成中の制御情報、プロセス情報、位置情報、また画像形成後の記録シート束に対する後処理情報などが記憶されていなかった。このため、このような情報は、画像形成装置内のＲＡＭに格納されて管理されることになり、画像形成後の記録シートを他の後処理工程に移動し、継続して作業を行う場合などには、一々手作業でシート情報を入力する必要があるため作業が煩雑になっていた。
【０００５】
また、ＲＦＩＤタグ用のデータが、記録シートの１枚ごと設定されている場合には、それぞれ対応する記録シートに対してＲＦＩＤタグを付与する必要があった。そのため、記録シートへの印刷ジョブに関する情報だけが必要な場合のように、一つの印刷ジョブに対して１枚の記録シートだけにＲＦＩＤタグが付与されていれば十分な場合であっても、高価なＲＦＩＤタグが、印刷した全ての記録シートに付与されてしまい、印刷コストがアップする等の不具合があった。
【０００６】
本発明は上記従来例に鑑みてなされたもので、ＲＦＩＤタグを付与する記録媒体の数を減少させて、ＲＦＩＤタグの使用を低減させる画像形成装置及び該当装置における制御方法を提供することを目的とする。
【０００７】
また本発明の目的は、指紋照合、網膜パターン照合などのバイオメトリクスを用いて信頼度の高い個人情報を得て、その個人情報を画像が形成された記録媒体のＲＦＩＤタグに記憶させる画像形成装置及び該当装置における制御方法を提供することにある。
【課題を解決するための手段】
【０００８】
上記目的を達成するために本発明の画像形成装置は以下のような構成を備える。即ち、  入力された画像データに応じて記録媒体に画像を形成する像形成手段と、
前記記録媒体の少なくとも一つ以上に付属するＲＦＩＤタグと、
前記ＲＦＩＤタグにデータを書き込む書き込み手段と、
前記ＲＦＩＤタグに記録されたデータを読み取る読み取り手段と、
入力されたデータに基づいてデータの編集を行うデータ編集手段と、
前記編集手段により編集されたデータを前記書き込み手段により、
所定のＲＦＩＤ記録媒体に書き込むよう制御する制御手段と、
を有することを特徴とする。
【０００９】
上記目的を達成するために本発明の画像形成装置は以下のような構成を備える。即ち、
入力された画像データに応じて記録媒体に画像を形成する像形成手段と、
前記像形成手段により像形成された記録媒体にＲＦＩＤタグを付与するタグ付与手段と、
前記ＲＦＩＤタグにデータを書き込む書込み手段と、
前記ＲＦＩＤタグに記憶されたデータを読み取る読取り手段と、
前記像形成手段により画像が形成された所定量の記録媒体毎に前記タグ付与手段により前記ＲＦＩＤタグを付与し、当該ＲＦＩＤタグに前記書込み手段によりデータを書込むように制御する制御手段とを有することを特徴とする。
【００１０】
上記目的を達成するために本発明の画像形成装置は以下のような構成を備える。即ち、
入力された画像データに応じて記録媒体に画像を形成する像形成手段と、
前記像形成手段により像形成された記録媒体にＲＦＩＤタグを付与するタグ付与手段と、
前記ＲＦＩＤタグにデータを書き込む書込み手段と、
ユーザを特定する生体情報を入力する生体情報入力手段と、
前記生体情報入力手段により入力された前記生体情報を、前記像形成手段により画像が形成された前記記録媒体の前記ＲＦＩＤタグに、前記書込み手段により書込むように制御する制御手段とを有することを特徴とする。
【００１１】
上記目的を達成するために本発明の画像形成装置は以下のような構成を備える。即ち、
入力された画像データに応じて記録媒体に画像を形成する像形成手段と、
前記像形成手段により像形成された記録媒体にＲＦＩＤタグを付与するタグ付与手段と、
記録媒体に付与されたＲＦＩＤタグを読み取る読取り手段と、
ユーザを特定する生体情報を入力する生体情報入力手段と、
前記生体情報入力手段により入力された前記生体情報と、前記読取り手段により読み取ったデータとを当該記録媒体の前記ＲＦＩＤタグと対応付けて記憶する記憶手段とを有することを特徴とする。
【００１２】
上記目的を達成するために本発明の画像形成装置における制御方法は以下のような工程を備える。即ち、
入力された画像データに応じて記録媒体に画像を形成する像形成工程と、
前記像形成工程で像形成された記録媒体にＲＦＩＤタグを付与するタグ付与工程と、
前記ＲＦＩＤタグにデータを書き込む書込み工程と、
前記ＲＦＩＤタグに記憶されたデータを読み取る読取り工程と、
前記像形成工程で画像が形成された所定量の記録媒体毎に前記ＲＦＩＤタグを付与し、当該ＲＦＩＤタグにデータを書込むように制御する制御工程と、
を有することを特徴とする。
【００１３】
上記目的を達成するために本発明の画像形成装置における制御方法は以下のような工程を備える。即ち、
入力された画像データに応じて記録媒体に画像を形成する像形成工程と、
前記像形成工程で像形成された記録媒体にＲＦＩＤタグを付与するタグ付与工程と、
前記ＲＦＩＤタグにデータを書き込む書込み工程と、
ユーザを特定する生体情報を入力する生体情報入力工程と、
前記生体情報入力工程で入力された前記生体情報を、前記像形成工程で画像が形成された前記記録媒体の前記ＲＦＩＤタグに、前記書込み工程で書込むように制御する制御工程とを有することを特徴とする。
【００１４】
上記目的を達成するために本発明の画像形成装置における制御方法は以下のような工程を備える。即ち、
入力された画像データに応じて記録媒体に画像を形成する像形成工程と、
前記像形成工程で像形成された記録媒体にＲＦＩＤタグを付与するタグ付与工程と、
記録媒体に付与されたＲＦＩＤタグを読み取る読取り工程と、
ユーザを特定する生体情報を入力する生体情報入力工程と、
前記生体情報入力工程で入力された前記生体情報と、前記読取り工程で読み取ったデータとを当該記録媒体の前記ＲＦＩＤタグと対応付けてメモリに記憶する記憶工程とを有することを特徴とする。
【発明の効果】
【００１５】
本発明によれば、ＲＦＩＤタグを付与する記録媒体の数を減少させて、ＲＦＩＤタグの使用を低減させることができる。
【００１６】
また本発明によれば、指紋照合、網膜パターン照合などのバイオメトリクスを用いて信頼度の高い個人情報を得て、その個人情報を画像が形成された記録媒体のＲＦＩＤタグに記憶することができる。
【発明を実施するための最良の形態】
【００１７】
以下、添付図面を参照して本発明の好適な実施の形態を詳細に説明する。
【実施例】
【００１８】
図１は、本発明の実施例に係る画像形成システム（複写機）の一例を示す断面図である。尚、この図１では、画像形成装置（プリンタ部）と画像データ入力装置（スキャナ部）とが物理的に一体化されて配置された装置の例で示しているが、これは一例であり、それぞれが分離されて配置されてもよい。
【００１９】
図において、２００は画像データ入力装置であるスキャナ部を示し、２０１は原稿積載台の圧板である。２００はスキャナ部で、不図示の原稿照明ランプ、ミラー２０４，２０５，２０６、レンズ２０７及びイメージセンサ部（ＣＣＤ）２０８等を備えている。このスキャナ部２００は、原稿画像の読取り処理が開始されると原稿からの反射光を走査ミラー２０４〜２０６、レンズ２０７を介してイメージセンサ部（ＣＣＤセンサ）２０８に結像する。なお、このスキャナ部２００上には、ＡＤＦ（自動原稿送り器）もしくは圧板２０１が載せられる。
【００２０】
次に画像形成装置（プリンタ部）１００について説明する。この画像形成装置１００は大別して、画像形成部１０（４つのステーション（ａ，ｂ，ｃ，ｄ）が並設されており、その構成は同一である）、給紙ユニット２０、中間転写ユニット３０、定着ユニット４０及び制御ユニット（ＣＰＵ１７１（図２）等を含む）を備えている。
【００２１】
更に、個々のユニットについて詳しく説明する。
【００２２】
画像形成部１０は、以下に説明する構成を備えている。像担持体としての感光ドラム１１ａ，１１ｂ，１１ｃ，１１ｄのそれぞれは、その中心で軸支され、矢印方向に回転駆動される。感光ドラム１１ａ〜１１ｄの外周面に対向して、その回転方向の上流側から一次帯電器１２ａ，１２ｂ，１２ｃ，１２ｄ、光学系１３ａ，１３ｂ，１３ｃ，１３ｄ、現像ユニット１４ａ，１４ｂ，１４ｃ，１４ｄがそれぞれ配置されている。一次帯電器１２ａ〜１２ｄのそれぞれは、各感光ドラム１１ａ〜１１ｄの表面に均一な帯電量の電荷を与える。次いで光学系１３ａ〜１３ｄのそれぞれにより、各色に対応する画像信号に応じて変調された、例えばレーザビームなどの光線を、各感光ドラム１１ａ〜１１ｄ上に露光させることによって、そこに各色の画像信号に対応する静電潜像を形成する。更に、イエロー、シアン、マゼンタ、ブラックといった４色の現像剤（トナー）のそれぞれを収納した現像ユニット１４ａ〜１４ｄによって上記静電潜像をそれぞれの色で顕像化する。ここでは、現像ユニット１４ａはブラック（黒）のトナーを、現像ユニット１４ｂはマゼンタのトナーを、現像ユニット１４ｃはシアンのトナーを、そして現像ユニット１４ｄはイエローのトナーをそれぞれ収容している。
【００２３】
こうして顕像化された可視画像を中間転写ベルト３１に転写する画像転写領域Ｔａ，Ｔｂ，Ｔｃ，Ｔｄの下流側のドラム面上には、それぞれクリーニング装置１５ａ，１５ｂ，１５ｃ，１５ｄが設けられており、転写材に転写されずに各感光ドラム１１ａ〜１１ｄ上に残されたトナーを掻き落としてドラム表面の清掃を行っている。以上に示したプロセスにより、各トナーによる画像形成が順次行われる。
【００２４】
給紙ユニット２０は、記録材Ｐを収納するためのカセット２１ａ，２１ｂ及び手差しトレイ２７、カセット内もしくは手差しトレイより記録材Ｐを一枚ずつ送り出すためのピックアップローラ２２ａ，２２ｂ及び２６、各ピックアップローラから送り出された記録材Ｐをレジストローラまで搬送するための給紙ローラ対２３及び給紙ガイド２４、そしてプリンタ部１００の画像プリントタイミングに合わせて記録材Ｐを二次転写領域Ｔｅへ送り出すためのレジストローラ２５ａ，２５ｂを備えている。
【００２５】
次に中間転写ユニット３０について詳細に説明する。
【００２６】
中間転写ベルト３１（その材料として例えば、ＰＥＴ（ポリエチレンテレフタレート）やＰＶｄＦ（ポリフッ化ビニリデン）などが用いられる）は、中間転写ベルト３１に駆動を伝達する駆動ローラ３２、ばね（不図示）の付勢によって中間転写ベルト３１に適度な張力を与えるテンションローラ３３、ベルト３１を挟んで二次転写領域Ｔｅに対向する従動ローラ３４に巻回されている。これらの内、駆動ローラ３２とテンションローラ３３の間に一次転写平面Ａが形成される。駆動ローラ３２は金属ローラの表面に数ｍｍ厚のゴム（ウレタン又はクロロプレン）をコーティングしてベルト３１とのスリップを防いでいる。駆動ローラ３２はパルスモータ（不図示）によって回転駆動される。各感光ドラム１１ａ〜１１ｄと中間転写ベルト３１が対向する一次転写領域Ｔａ〜Ｔｄでは、中間転写ベルト３１の裏に一次転写ブレード３５ａ〜３５ｄが配置されている。また従動ローラ３４に対向して二次転写ローラ３６が配置され、中間転写ベルト３１とのニップによって二次転写領域Ｔｅを形成している。二次転写ローラ３６は、中間転写ベルト３１に対して適度な圧力で加圧されている。また、中間転写ベルト３１上、二次転写領域Ｔｅの下流には、中間転写ベルト３１の画像形成面をクリーニングするためのクリーニング装置が配されている。このクリーニング装置（不図示）は、クリーナーブレード（材質としては、ポリウレタンゴムなどが用いられる）及び廃トナーを収納する廃トナーボックスを備えている。
【００２７】
また制御ユニットは、上記各ユニット内の機構の動作を制御するための制御基板や、モータドライブ基板などを備えている。
【００２８】
４０は定着ユニットで、二次転写領域Ｔｅで画像が転写された記録シートＰが搬送路４３上を搬送されてくると、その記録シートＰを加熱、加圧することにより、その転写画像を記録シート上に定着させる。こうして画像が定着された記録シートＰは、排紙ローラ対４４，４５の回転により装置外に排出される。
【００２９】
尚、本実施例では、定着ユニット４０からの搬送部の下流に後述するＲＦＩＤタグ付加部を設けている。その詳細な説明は後述する。
【００３０】
図２は、本実施例に係る画像形成システムの構成を説明するブロック図である。
【００３１】
図２において、１７１はＣＰＵで、この画像形成システム全体の動作を制御している。ＲＯＭ１７４には、ＣＰＵ１７１の制御プログラムが書き込まれている。ＲＡＭ１７５は、ＣＰＵ１７０による制御動作時に、各種データを一時的に記憶するためのワーク用ＲＡＭとして使用される。１７３は入出力ポートで、ＣＰＵ１７１のアドレスバス、データバスにより接続されており、この画像形成システムを制御する、モータ、クラッチ等の各種負荷（不図示）や、記録シートの位置を検知するためのセンサ等の入力（不図示）が接続されている。
【００３２】
ＣＰＵ１７１は、ＲＯＭ１７４に記憶されている制御プログラムに従って、入出力ポート１７３を介して順次入出力の制御を行い画像形成動作を実行する。又、ＣＰＵ１７１には操作部１７２が接続されており、この操作部１７２の表示部への表示及びキー入力部からのキー信号の入力を制御する。操作者はこのキー入力部により、画像形成（印刷）動作モードや表示の切り替えをＣＰＵ１７１に指示し、またＣＰＵ１７１は、この画像形成システムの状態やキー入力による動作モード設定及び表示を行う。
【００３３】
またＣＰＵ１７１は、リーダ部２００のイメージセンサ部２０８で電気信号に変換された画像信号を処理する画像処理部１７０と、この画像処理部１７０で処理された画像を蓄積する画像メモリ部３が接続されている。この画像メモリ部３には、更にリーダ部２００と外部Ｉ／Ｆ処理部４とプリンタ部１００が接続される。
【００３４】
リーダ部２００で読み込まれた原稿画像の画像情報は、画像処理部１７０で所定の画像処理が行われた後、画像メモリ部３に送られて蓄積される。また外部Ｉ／Ｆ処理部４に入力された、ホストコンピュータなどからの印刷データは、既に画像処理が行われているため、そのまま画像メモリ部３に送られて記憶される。こうしてリーダ部２００或いは外部Ｉ／Ｆ処理部４から画像メモリ部３に送られた画像データは、プリンタ部１００に送られて記録シート上に印刷される。
【００３５】
１８１はＲＦＩＤタグリード／ライト部で、図３に示すように原稿１１０上に付されているＲＦＩＤタグ３０２を読み取ったり或いはＲＦＩＤタグ３０２にデータを書込むことができる。
【００３６】
以下、このＲＦＩＤタグについて説明する。
【００３７】
図３は、本発明の実施例に係る画像形成システムの画像読み取り（スキャナ）部１００の構成を示すブロック図で、前述の図１と共通する部分は同じ記号で示している。
【００３８】
図において、１０５は送受信器で、原稿１１０に付されているＲＦＩＤタグ３０２のデータを読み取って送信する。簡単に説明すると、原稿１１０上にＲＦＩＤタグ３０２が付されており、送受信器１０５は、このＲＦＩＤタグ３０２に記憶されている情報を読み込んでＣＰＵ１７１に送信する。
【００３９】
尚、このＲＦＩＤタグ３０２は、図示のように、タグの両側に２本のアンテナが接続されて構成されている。
【００４０】
このＲＦＩＤタグ３０２の読取りは、原稿１１０が原稿台１０６上に載置され、不図示の圧板開閉検知手段からの圧板１０７が閉じられたことを示す信号を受け取ることにより開始される。また或いは、このような圧板開閉検知をしなくても、常時、原稿台１０６に載置された原稿を監視していることにより、原稿台１０６上に原稿を載置するだけで、そのタグデータを入手できるようにしてもよい。また原稿台のようなものではなく、自動原稿送り装置のようなものを使用する場合においても、原稿を載置するところにＲＦＩＤタグを読み取る機構を備えることにより同様にして実現可能である。
【００４１】
図４は、本実施例に係るプリンタ部１００の定着器４０から搬送された記録シートに対してＲＦＩＤタグを付加するＲＦＩＤタグ付加部５００を説明する図である。
【００４２】
簡単に動作を説明すると、前述の定着器４０で転写画像が定着されて搬送されてくる記録シートＰが、回転中のローラ対５０３の間に進入し、スタンプ部５０２の位置まで搬送される。このスタンプ部５０２では、ローラ５０１ａ，５０１ｂによりロールシート５０６を矢印方向に搬送可能に張架しており、このロールシート５０６に貼り付いているＲＦＩＤタグつきシール５０７を、その搬送されてきた記録シートＰに対して貼り付ける。
【００４３】
こうしてタグ３０２の貼付けが完了すると、次のシール５０７が貼り付け可能な位置にくるまでロールシート５０６を搬送した後停止して、次の記録シートＰへのシール５０７の貼付けに備える。こうしてＲＦＩＤタグ３０２が貼り付けられた記録シートＰは、更にローラ対５０３の回転により搬送される。この時、ＲＦＩＤタグライト部５０４により種々のデジタルデータがＲＦＩＤタグ３０２に書き込まれる。そして、その記録シートＰの先端が排出ローラ対５０５の間に進入すると、今度はこの排出ローラ対５０５の回転により搬送され、記録シートＰの後端がローラ対５０５を通過するまで搬送され、排紙トレイ部６００に排出される。この排紙トレイ部６００に排出されたＲＦＩＤタグつき記録シートＰは、ＲＦＩＤ読取り部６０１により、そのＲＦＩＤタグ３９２に書込まれたデータを読み取ることができる。このようにＲＦＩＤタグリード／ライト部１８１は、上述の送受信器１０５、ＲＦＩＤタグライト部５０４、ＲＦＩＤ読取り部６０１に対応している。
【００４４】
またここでは、定着器４０から搬送された記録シートＰに対して、ＲＦＩＤタグつきシールの貼り付けを行う説明を行ったが、記録シートＰに予めＲＦＩＤタグが付加されている場合や、特に貼り付ける必要がない場合は、この工程を省略してもよいことはもちろんである。
【００４５】
次に、ＲＦＩＤタグ３０２の構成及び動作概略について説明する。
【００４６】
［ＲＦＩＤタグ］
図５は、本実施例に係るＲＦＩＤタグ３０２を説明する図である。
【００４７】
このＲＦＩＤタグ３０２は、データを記憶するため電源が切れてもデータを失わないＥＥＰＲＯＭ等のメモリ１００２を有している。このメモリ１００２は容量に応じたアドレスを有しており、各アドレス毎に１６ビットのデータ記憶部を備えている。メモリ制御部１００３は、コイル１００４からのデータを変復調部１００５を介して送られてきた、ＲＦＩＤタグリード／ライト部１８１からのコマンドに従ってメモリ１００２に対して、データの読み出し、書き込み等を行う。
【００４８】
このメモリ制御部１００３は、変復調部１００５から送信されるコマンドに従ってメモリ１００２のリード／ライト制御を行う。電源回路１００６は、外部からの電磁誘導によるコイル１００７からの誘導起電力により、ＲＦＩＤタグ３０２の回路に電力を供給している。本実施例に係るＲＦＩＤタグ３０２は、この図５に示す回路を１チップＩＣに集積している。
【００４９】
次に図６及び図７を参照して、変復調部１００５からメモリ制御部１００３に送られる送信データについて説明する。
【００５０】
図６（ａ）（ｂ）は、一般的なＥＥＰＲＯＭの制御とほぼ等価なメモリ１００２のリード／ライト制御の一例を説明する図である。
【００５１】
図６（ａ）は、ＲＦＩＤタグ３０２のリード時のデータフォーマットを示している。まず、ＲＦＩＤタグリード／ライト部１８１から電力伝送波が送出されると、コイル１００７がこの電力伝送波を受信し、そのコイル１００７より誘導起電力が発生する。この誘導起電力が入力される電源回路１００６によってＲＦＩＤタグ３０２に電源が供給されると、メモリ制御部１００３は変復調部１００５を介してコイル１００４から受信するシリアルデータＤＩを監視し、ビットが「０」から「１」に変移することを検出する。ＤＩの監視を開始してから最初の「０」から「１」への変移はスタートビットを示している。このスタートビットの次の連続する２ビットのデータがコマンドデータとなる。
【００５２】
図６（ａ）の例では、データの遷移タイミングは、予め決められた周波数ｆに応じて変移するようにＲＦＩＤタグリード／ライト部１８１とＲＦＩＤタグ３０２とで構成してあるが、確実に同期が取れるように別途周期ｆで発振する同期クロックを発生させるようにしてもよい。図６（ａ）では、２ビットのコマンドデータが「１，０」となっている。これは図７に示すようにリードコマンドを意味している。
【００５３】
このリードコマンドを受信したメモリ制御部１００３は、メモリ１００２をリードモードで制御し、この２ビットのコマンドデータに続く６ビットデータ（Ａ５，Ａ４，...，Ａ１，Ａ０）で示されるメモリ１００２のアドレスに格納されている１６ビットデータ（Ｄ１５，Ｄ１４，...，Ｄ１，Ｄ０）をシリアルデータＤＯとしてメモリ制御部１００３から送出し、変復調部１００５を介して、コイル１００４より変調波をＲＦＩＤタグリード／ライト部１８１に送信する。
【００５４】
一方、図６（ｂ）は、ＲＦＩＤタグへのデータ書込み時のデータフォーマットを示す図である。
【００５５】
ＲＦＩＤタグリード／ライト部１８１から電力伝送波が送出されると、コイル１００７がこの電力伝送波を受信し、このコイル１００７より誘導起電力が発生する。こうして誘導起電力が入力された電源回路１００６によってＲＦＩＤタグ３０２に電源が供給されると、メモリ制御部１００３は変復調部１００５を介してコイル１００４から受信するシリアルデータＤＩを監視し、リード時と同様にビットが「０」から「１」に変移するスタートビットを検出する。このスタートビットの次の連続する２ビットのコマンドデータが「０，１」であるため、これは図７に示すようにライトコマンドを意味している。このライトコマンドを受信したメモリ制御部１００３は、メモリ１００２をライトモードで制御し、コマンドデータに続く６ビットデータ（Ａ５，Ａ４，...，Ａ１，Ａ０）で示されるメモリ１００２のアドレスに、後続の１６ビットデータ（Ｄ１５，Ｄ１４，...，Ｄ１，Ｄ０）を書き込む。
【００５６】
図６（ｂ）では、メモリ１００２への書き込みと同時に、その書き込んだデータをメモリ制御部１００３にシリアルデータＤＯで送出し、変復調部１００５を介して、コイル１００４より変調波をＲＦＩＤタグリード／ライト部１８１に送出している。これによりＲＦＩＤタグリード／ライト部１８１は、その送出したデータが正しくメモリ１００２に書き込まれたかどうかを判断することができる。
【００５７】
ここでメモリ１００２は、アドレスが６ビット、データが１６ビットの仕様であるため、メモリ１００２全体では１ｋビットの容量を有している。
【００５８】
図８は、このメモリ１００２のアドレスマップを説明する図である。
【００５９】
アドレス００ｈ（ｈは１６進数を示す）と０１ｈ番地は、ＲＦＩＤタグ自身のＩＤを記憶するエリアとして使用される。アドレス０２ｈ番地は、ページ番号の記憶エリアとして使用される。アドレス０３ｈ番地は用紙サイズ、アドレス１０ｈ番地は「後処理モード設定」を記憶している。またアドレス１１ｈ番地は「後処理履歴」を記憶し、アドレス１２ｈ番地はジョブの「総ページ数」を記憶し、アドレス１３ｈ番地は「束の代表サイズ」を記憶し、アドレス１４ｈ番地は「束状態」を記憶する。
【００６０】
尚、ここで「後処理モード」としては、印刷されたシートを、所定の束毎に綴じるかどうかの設定を含む。「総ページ数」は、一つの束を形成するページ数を示し、「束状態」は、その束に種々のサイズのシートが混在する等の情報を含む。「代表サイズ」は、その束に含まれる最大のシートサイズを規定する。
【００６１】
このように、予め決められたアドレスマップに従って、メモリ１００２のデータの読取り、及び書込みを実施すれば、記録シートに画像情報以外の不可視情報を保持することができる。このようにして記録シートに埋め込まれたＲＦＩＤタグ３０２には、ＲＦＩＤタグリード／ライト部１８１により、非接触の無線によりＲＦＩＤタグ３０２に不可視データを書き込むことができ、またこの様にして書込んだデータを読み出すことが出来る。
【００６２】
以上でＲＦＩＤタグ３０２の動作についての説明を終える。
【００６３】
次に、リードライト回路について説明する。
【００６４】
［リードライト回路］
図９は、本実施例に係るＲＦＩＤタグリード／ライト部１８１の構成を説明するブロック図である。このＲＦＩＤタグリード／ライト部１８１は、前述したようにＲＦＩＤタグ３０２のメモリ１００２にデータを書込んだり、ＲＦＩＤタグ３０２のメモリ１００２からデータを読み出すための回路である。
【００６５】
このＲＦＩＤタグリード／ライト部１８１に設けられたＲ／Ｗコイル（リーダ又は／及びライタコイル）１４０１とＲＦＩＤタグ３０２に形成されたコイル１００４との間で、図１０に示す電力伝送波およびデータ通信変調波からなる電磁波（無線）を使って電力の伝送および通信の送受信の両方を行うが、電力伝送波と信号波とを各々別のアンテナにより送信しても問題はない。
【００６６】
図１０に示す２７．０２ＭＨzの電力伝送波１５０１は、前述のコイル１００７によって受信され、ＲＦＩＤタグ３０２を駆動する電力を供給する。また、２７．０２ＭＨｚを中心周波数とするデータ通信変調波１５０２は、前述のコイル１００４によって送受信され、ＲＦＩＤタグ３０２のメモリ１００２に対してリードライトのアクセスを行う。
【００６７】
図９において、キャリア信号発生回路１４０２は、２７．０２ＭＨzのキャリア信号を発生する。符号化回路１４０３は、ＲＦＩＤタグ３０２へ送信するデータを符号化する。変調器１４０４は、２７．０２ＭＨzのキャリア信号に符号化回路１０４３で符号化された信号を振幅変調（Amplitude Shift Keying変調：ＡＳＫ変調）により重畳させる。送信アンプ１４０５は、この変調器１４０４によりＡＳＫ変調された信号を増幅する。この送信アンプ１４０５で増幅された信号は、インダクタンス結合１４０６により結合し、コンデンサ１４０７によりインピーダンスをマッチングさせて反射防止をするための整合回路（給電回路）１４０８に送られる。コイル（リーダ、又は／及びライタコイル）１４０１は、この整合回路１４０８の出力に応じて、電力の伝送及びデータの送信を行うべく電磁波を発生する。また、前述のＲＦＩＤ用コイル１００４から電磁波によって送信されてきたデータを受信する。フィルタ回路１４０９は、コイル（リーダ又は／及びライタコイル）１４０１で受信した信号を整合回路１４０８で整合させてインダクタンス結合１４０６により生じた信号からノイズ成分を取り除く。受信アンプ１４１０は、このフィルタ回路１４０９を通して得られる信号を増幅する。復調器１４１１は、受信アンプ１４１０で増幅された信号を前述の２７．０２ＭＨzのキャリア信号を用いて復調する。復号化回路１４１２は、復調器１４１１で復調された信号を復号して受信データとして出力する。
【００６８】
以上の構成を備えるＲＦＩＤタグリード／ライト部１８１は、前述のＣＰＵ１７１の制御の下で送信される送信データを、コイル１４０１からＡＳＫ変調して発信し、或いはコイル１４０１から受信したＡＳＫ変調データを受信して復号できる。
【００６９】
以上でＲＦＩＤタグリード／ライト部１８１の説明を終了する。
【００７０】
前述のようにして記録シートに付加されたＲＦＩＤタグ３０２には、少なくとも図８のアドレス００ｈ番地から０１ｈ番地の情報、即ち、タグＩＤにより、約４２億通りの記録シートを独立して管理することができる。また、アドレス０２ｈ番地に「ページ番号」、アドレス０３ｈ番地に「用紙サイズコード」、アドレス１０ｈ番地に「後処理モード設定」、アドレス１１ｈ番地に「後処理履歴」、アドレス１２ｈ番地にジョブの「総ページ数」、アドレス１３ｈ番地に束の「代表サイズコード」、アドレス１４ｈ番地に「束状態」が書き込まれている。
【００７１】
図１１は、ＲＦＩＤタグリード／ライト部１８１の内の書込み回路の構成を示すブロック図である。この書込み回路は図９に示すＲＦＩＤタグリード／ライト部１８１から読取り回路を削除しただけの構成であり、動作的にはＲＦＩＤタグリード／ライト部１８１のライト動作と全く同一であるので動作説明については割愛する。
【００７２】
図１２は、データ読取り回路の構成を示すブロック図で、この読取り回路は図９で説明したＲＦＩＤタグリード／ライト部１８１から書込み回路を削除しただけの構成であり、動作的にはＲＦＩＤタグリード／ライト部１８１のリード動作と全く同一であるので動作説明については割愛する。
【００７３】
図１３は、従来のＲＦＩＤタグデータの書き込み例を説明する図である。
【００７４】
この例では、Ａ４サイズ、総ページ数が４（４枚のシート）の原稿の内容を、それぞれがＡ４サイズで全４ページ（４枚のシート）に記録する例で示している。各原稿から読み込んだ画像情報を各記録シートに記録するとともに、原稿上のＲＦＩＤタグ内に格納されていたデジタル情報（ページ情報、サイズ情報）をそのまま記録シート上のＲＦＩＤタグ内に書き込んでいる。これが、全ての原稿に対して実行され、対応する全ての記録シートにＲＦＩＤタグ３０２が付与される。
【００７５】
図１４は、本発明の実施例１に係るＲＦＩＤタグデータの書き込み例を説明する図である。
【００７６】
前述の図１４において、原稿の画像情報を記録シートに記録することについては、図１３で示した従来例と同様なので省略する。
【００７７】
この図１４では、原稿上のＲＦＩＤタグ３０２内に格納されているページ情報、シートサイズ情報を、一旦、ＲＦＩＤタグ３０２内データを編集するためのデータバッファ（ＲＡＭ１７５に設けられている）１４０に格納する。即ち、ここでは、１枚目の原稿に付されているＲＦＩＤタグの情報に基づいて、１枚目の原稿を含む４枚の原稿画像を一つの束にすることが判明しているため、その束に対応している４枚の原稿画像に関するＲＦＩＤタグデータをデータバッファ１４０に格納する。そして、その束の最終ページである４枚目の記録シートへの記録の際に、その記録シートにのみＲＦＩＤタグを付与し、そのＲＦＩＤタグ３０２にデータバッファ１４０に記憶していたタグ情報を書き込む。
【００７８】
図１５は、本発明の実施例１に係るＲＦＩＤタグデータの書き込み処理を説明するフローチャートである。この処理を実行するプログラムはＲＯＭ１７４に記憶されており、ＣＰＵ１７１の制御の下に実行される。この処理はリーダ部２００で読み取った原稿画像をプリンタ部１００で印刷するコピー処理の場合で説明する。
【００７９】
まずステップＳ１で、リーダ部２００により原稿画像を読み取る。更に、ここでは最初の原稿画像のタグに付されているタグ情報を読み取り、総ページ数（Ｎ）を取得する。次にステップＳ２に進み、そのタグ情報をＲＡＭ１７５のデータバッファ１４０に書込む。そしてステップＳ３に進み、プリンタ部１００により、その画像を印刷する。そしてステップＳ４に進み、定着器４０から、印刷済みの記録シートが搬送されたかどうかを調べ、搬送されてくるとステップＳ５に進み、その印刷した原稿画像が最後の原稿であるかどうかを判定する。即ち、ここでは最初の原稿に付されていたＲＦＩＤタグの情報に基づいて、例えば原稿画像の束が何枚の原稿画像で構成されているかを判定し、その束を構成している最後の原稿画像を読み取ったかどうか判定する。そうでない時はステップＳ６に進み、リーダ部２００により、次の原稿画像を読取り、次にステップＳ７で、総ページ数（Ｎ）を−１してステップＳ２に進む。
【００８０】
こうしてステップＳ５で、最後の原稿画像の場合はステップＳ８に進み、その印刷済みの記録シートＰにＲＦＩＤタグ３０２を貼付ける。そしてステップＳ９に進み、ＲＦＩＤタグリード／ライト部１８１により、データバッファ１４０に格納されているタグデータを、その最終記録シートのＲＦＩＤタグ３０２に書込む。そしてステップＳ１０に進み、データバッファ１４０の内容を消去する。
【００８１】
このように本実施例１によれば、原稿画像のそれぞれにＲＦＩＤタグが付されている場合でも、その原稿画像の一纏まりを単位にして、その最後のシートにだけＲＦＩＤタグが付されることになる。このため、原稿画像をコピーした記録シートの全てにＲＦＩＤタグが附されることがなくなり、画像の複写に要するコストを低減できる。
【００８２】
また、定着済みの記録シートにのみタグが付与されるため、タグが付された記録シートが定着器にかけられるといった不具合を解消できる。
【００８３】
［実施例２］
図１６は、本発明の実施例２に係る画像形成システムの構成を説明するブロック図で、前述の図２と共通する部分は同じ記号で示している。
【００８４】
リーダ部２００で読み込まれた原稿画像情報は、画像処理部１７０で所定の画像処理が行われた後、画像メモリ部３に送られて蓄積される。また外部Ｉ／Ｆ処理部４に入力された、ホストコンピュータなどからのプリント画像データは、既に画像処理が行われているため、そのまま画像メモリ部３に送られて記憶される。リーダ部２００と外部Ｉ／Ｆ処理部４から画像メモリ部３に送られた画像データは更にプリンタ部１００に送られ、記録シート上に印刷される。
【００８５】
１７６は指紋読み取り部で、ユーザの指紋を撮像して読み取る。こうして読取られたユーザの指紋に対応するアナログ画像信号はアンプ１７７で増幅された後、Ａ／Ｄ変換器１７８でデジタルデータに変換される。このデジタルデータは指紋情報処理部１７９に送られ、その指紋の特徴量データを抽出する。ＣＰＵ１７１は、指紋情報処理部１７９で抽出された指紋特徴量データをＲＡＭ１７５に展開して一次保存する。
【００８６】
またＲＦＩＤタグ３０２がデータ書込みに対応していない場合、使用中のユーザデータである、指紋特徴量データと出力記録シートとを対応付けるべく、画像出力する記録シートに付加されるＲＦＩＤタグから読み出されたタグナンバーデータと指紋特徴量データ及び、予め各個人の指紋特徴量データと関連付けられているユーザＩＤとを対にしたデータを個人情報記憶部１８０に記憶する。
【００８７】
これらの処理により、ＲＦＩＤタグ付の記録シートとそれを処理したユーザの情報を関連付けることができる。
【００８８】
尚、この実施例２では、個人情報として指紋情報を例に説明するが本発明はこれに限定されるものではなく、例えば網膜パターン情報、顔写真情報、虹彩パターン情報、静脈パターン等であっても良い。
【００８９】
図１７は、本実施例に係る画像形成システムにおける操作部１７２を説明する概観図である。
【００９０】
図１７において、１５０は電源が入っていることを示すパワーランプである。６１３のパワースイッチにより、電源のオン／オフの切り替えにあわせ、ランプ１５０は点灯、消灯をする。６２２はテンキーであり、印刷枚数の設定やモード設定の数値入力に使用される。６２３はクリアキーで、テンキー６２２で入力した設定をクリアする。６１６はリセットキーで、設定された印刷枚数や動作モードや選択給紙段等のモードを既定値に戻すためのものである。６１４はスタートキーで、このスタートキー６１４の押下により印刷動作を開始する。このスタートキー６１４の中央にはスタート可能か否かを示す赤色とグリーンのＬＥＤ６１４ａが設けられており、スタートができない場合は赤色のＬＥＤが点灯し、スタート可能な場合はグリーンのＬＥＤが点灯する。６１５はストップキーで、複写動作の停止を行うために使用される。６１７はガイドキーであり、このキーを押下した後に、他のキーを押下すると、そのキーにより設定できる機能の説明が表示部６２０に表示される。このガイド表示を解除する場合は、再度ガイドキー６１７を押下することで行う。６１８はユーザ設定キーであり、このキーを押下すると画像形成装置の設定をユーザが変更可能になる。ユーザが変更できる設定は、自動的に設定をクリアーするまでの時間や、タイマ設定関連や、専用トレイの設定などプリント、コピー共通、もしくは各ファンクション固有の機能全般に対する設定などである。６１９は割り込みキーであり、印刷動作中にこのキーを押下すると、他の印刷動作を中止してコピーを行うことができる。
【００９１】
６２０は液晶等で構成される表示部であり、詳細なモード設定を容易にするべく、設定モードに応じて表示内容が変わる。又、この表示部のスクリーン表面はタッチセンサになっている。図１７の例では、複写動作モードの設定画面の例を示している。
【００９２】
また図１７では、表示部６２０にキー６２４〜６３２が表示されており、これらキーの表示の位置を触れることでキーの押下を判断して、モードを設定する。６２７は用紙段の選択キーであり、このキーを押下すると、カセット２１ａ，２１ｂ及び手差しトレイ２７のいずれから給紙を行うかを設定する表示を表示部６２０に表示する。６２８〜６３１は複写動作の複写倍率を設定するキーである。６２６は応用モードの設定キーであり、このキーを押下すると、縮小レイアウトモード、表紙、合紙モード等の応用機能モードの設定する画面が表示パネルに表示される。６２４は両面動作の設定キーで、例えば、片面原稿から両面出力を行う「片−両モード」、両面原稿から両面出力を行う「両−両モード」、両面原稿から２枚の片面出力を行う「両−片モード」の３種類の両面モードの設定を行う。６２５はソートキーで、このキーの押下で後処理装置（不図示）の動作モードの設定や、画像メモリを用いた出力紙の仕分けモード設定する。
【００９３】
表示部６２０に表示されたキーの表示は、通常の表示の他に、表示キーのモードが設定できない場合は、表示の線を点線（網掛け）にすることで、そのキーが操作できないことを表わしている。又、図１７の例では、表示部の６２０の上方には、複写動作が設定された内容の表示や、現在の動作状態を表示している。６３２はプルーフプリントモードキーで、ソートキー６２５において仕分けモード設定されている場合、複数部出力のときに、１部出力が終了したときに一旦プリント動作を停止し、ユーザに仕上がりを確認させ、ＯＫならば継続、ＮＧならば中止を選択できるプルーフプリントモードの設定を行う。
【００９４】
また図１７において、６０１〜６０５は、画像形成システムを用いた、コピー、プリントなどの通常動作の設定、システム管理者の設定動作、サービスメンテ設定動作の各設定を行うたあめに操作部１７２の表示を切り替える為の、キー及びＬＥＤ表示を示している。通常動作設定キー６１１、システム管理者設定キー６０４、サービスメンテ設定キー６０５はそれぞれ、各機能を切り替えるキーになっている。これらキーは半透明のキーボタンで構成されており、キーの内部にはＬＥＤ等の表示ランプ（不図示）がある。これらのキーを押下することで、操作画面を選択すると、キー内部のランプが点灯する。各キーの内部のこのランプは選択されている操作機能画面のキーの内部にあるランプのみ点灯制御され、その他のキーの内部のランプは消灯するように制御される。又、通常動作設定キー６１１の右には、グリーンのＬＥＤ６０３が配置され、これは通常動作機能の動作状況をＬＥＤの点灯制御であらわしている。例えば、図１７の例の様に、コピー出力動作中の場合は点滅制御される。また通常動作設定キー６１１の左には、レッドのＬＥＤ６０２が配置され、このＬＥＤ６０２は、異常状況が発生したことをＬＥＤ６０２の点灯制御で表わしている。例えば、紙なし中断やジャム等の異常が発生した時には、ＬＥＤ６０２が点滅制御される。
【００９５】
６０６は、ユーザの指紋情報を読み取る指紋情報センサで、前述の指紋読取り部１７６に設けられている。
【００９６】
図１８は、本発明の実施例に係る指紋読取り部１７６の詳細を説明する図である。
【００９７】
ＬＥＤ３０１は、所定の強度の光を、平板ガラス３１０上面の読み取り面３０３に照射する。この読み取り面３０３には、ユーザの指３０４が置かれる。この読み取り面３０３に照射されて反射した反射光のうち、指紋凸部のものは平板ガラス３１０の底の反射面３０５にて全反射され、指紋凹部のものは平板ガラス３１０を透過する。こうして反射面３０５にて全反射された指紋凸部の反射光は、折り返しミラー３０６で折り返され、レンズ３０７で集光される。このレンズ３０７で集光された反射光は更に折り返しミラー３０８で再度折り返され、読み取りセンサ３０９に入射される。この読み取りセンサ３０９は、光の入力に応じて蓄電容量が変化する半導体素子（フォトダイオード）を用いて、光（画像）信号を電気信号に変換するものである。
【００９８】
図１９は、本発明の実施例２に係るタグのメモリ１００２に記憶されたタグ情報の一例を説明する図である。
【００９９】
ここではメモリ１００２のアドレス００ｈ番地から０１ｈ番地に、タグＩＤが書き込まれている。即ち、００ｈ〜０１ｈ番地の情報により、約４２億通りの記録シートを独立して管理することができる。従って、このユニークなタグＩＤを個人情報と関連付けてメモリ１００２に記憶する、また、アドレス０２ｈ以降には、個人情報としての指紋特徴量などの生態情報を、個人情報データとして書き込んでおく。これにより、ＲＦＩＤタグと使用者との組み合わせを特定することが可能になる。
【０１００】
次に図２０のフローチャートを参照して本発明の実施例２に係る処理を説明する。この処理では、指紋読取り部１７６で読み取ったユーザの指紋情報を、印刷した記録シートのタグに書込む場合で説明する。尚、この処理を実行するプログラムはＲＯＭ１７４に記憶されており、この処理はＣＰＵ１７１の制御の下に実行される。
【０１０１】
まずステップＳ２１で、これから印刷する処理において、ユーザの個人情報を、印刷済みの記録シートに書き込むか否かを選択する。この選択処理は、操作部１７２の表示部６２０に表示される不図示の設定画面を使用して行われる。このステップＳ２１で、プリントした記録シートに個人情報を書き込まないように選択した場合はステップＳ２２に進み、プリントジョブのスタート指示が入力されたかどうかを判断する。このプリントジョブの開始は、前述のスタートキー６１４の押下によってもよく、或いはホストコンピュータ等からの指示でも良い。プリントジョブのスタートが指示されるとステップＳ２３に進み、通常のプリント動作を実行する。ここでは印刷済みの記録シートにＲＦＩＤタグを付すことなく、或いはタグが付された場合でも、そのタグに個人情報を書き込まないプリントジョブの実行がなされる。
【０１０２】
一方、ステップＳ２１で、プリント済みの記録シートに個人情報を書き込むように選択された場合はステップＳ２４に進み、プリンタ部１００によるプリント処理に先立って、指紋読取り部１７６により、そのユーザの指紋を読み取って入力する。こうして入力された指紋の映像は、指紋情報処理部１７９により処理されて指紋情報として抽出されＲＡＭ１７５に一時記憶される。そしてステップＳ２５に進み、ステップＳ２２と同様に、プリントジョブのスタート指示が入力されたかどうかを判断し、プリントジョブのスタート指示が入力されるとステップＳ２６に進み、記録シートに印刷する通常のプリントジョブを実行する。これにより一枚の記録シートに対して画像形成及び定着処理が行われる。続いてステップＳ２７に進み、その画像を定着済みの記録シートに対してＲＦＩＤタグを付与する。そしてＲＡＭ１７５に記憶されているＲＦＩＤタグデータをＲＦＩＤタグリード／ライト部１８１により、そのタグに書込む。これにより、そのユーザの個人情報である、指紋情報がＲＦＩＤタグに書き込まれる。尚、ここではＲＦＩＤタグリード／ライト部１８１によりタグ情報を書込むようにしたが、情報を書き込むためだけの場合は、書き込み機能のみを備えたタグ書込み回路であっても良い。そしてステップＳ２８に進み、指示された枚数分のプリントジョブが終了したかどうかを判断し、ステップＳ２８で、指示された枚数分のプリントジョブが終了するまで、ステップＳ２６，Ｓ２７を実行する。
【０１０３】
以上説明したように本実施例２によれば、印刷済みの記録シートにユーザの個人情報（ここでは指紋情報）を書込むことができる。これにより、例えばその記録シートをコピーしたい場合は、その指紋情報と一致するユーザだけがコピーできるようにも設定することができる。
【０１０４】
［実施例３］
次に本発明の実施例３について説明する。この実施例３では、ＲＦＩＤタグが付されて印刷されている記録シートを読取り、そのタグに記憶されているデータを読み取ってＲＡＭ１７５に格納する。更には、その画像の印刷を指示したユーザの指紋情報とタグ情報とを対応付けてメモリ１７５に記憶するものである。
【０１０５】
まずステップＳ３１で、これから処理するプリント処理において個人情報を、印刷済みの記録シートに書き込むか否かを選択する。この選択処理は表示部６２０上に表示される不図示の設定画面によって行われる。ここで個人情報を書き込まないように選択された場合はステップＳ３２に進み、前述のステップＳ２２と同様にプリントジョブのスタート指示が入力されたかどうかを判断する。プリントジョブのスタート指示が入力されるとステップＳ３３に進み、プリント済みの記録シートに個人情報を書き込まない通常のプリントジョブを実行する。
【０１０６】
一方、ステップＳ３１で、プリント済みの記録シートに個人情報を書き込むように選択されるとステップＳ３４に進み、プリンタ部１００によるプリント処理に先立ち、ユーザの個人情報となるユーザの指紋を指紋情報センサ６０６により読取り、その特徴量データを指紋情報処理部１７９にて抽出し、指紋情報として個人情報記憶部１８０に記憶する。次にステップＳ３５に進み、ステップＳ３２と同様にしてプリントジョブのスタート指示が入力されるかどうかを判断し、プリントジョブのスタート指示が入力されるとステップＳ３６に進み、プリントジョブを実行して、一枚の記録シートに対して画像印刷、その定着処理を実行する。ここでは、こうして印刷が行われた記録シートに対して、前述の図４に示すＲＦＩＤタグ付加部５００により、ＲＦＩＤタグを付与する。続いてステップＳ３７に進み、その附加されたＲＦＩＤタグ３０２に記憶されているタグＩＤを、ＲＦＩＤタグリード／ライト部１８１により読取る。ここでは、ＲＦＩＤタグリード／ライト部１８１によりＲＦＩＤタグ情報を読み取るようにしたが、タグ情報を読み取るだけの場合は、このようなタグ読取り機能のみを備えたタグリード回路であってもよい。次にステップＳ３８に進み、その読み取ったＲＦＩＤタグのタグＩＤと、現在のユーザの個人情報である、そのユーザの指紋特徴量データとを関連付けて個人情報記憶部１８０に記憶する。この個人情報記憶部１８０は、この画像形成システムの内部にあってもよいし、画像形成システムが通信機能を備えていた場合には通信可能な外部記憶装置（サーバ等）としてもよい。そしてステップＳ３９に進み、指示された枚数分の印刷処理が終了したかどうかを判断し、指定された枚数分の印刷処理が終了すると、この処理を終了する。
【０１０７】
このように本実施例３によれば、画像を印刷した場合、その印刷を行ったユーザを特定する個人情報を、その記録した記録シートを特定するタグＩＤとともに記憶しておくことができる。これにより、その記録シートの複写が指定された場合、その記録シートの複写を指示したユーザが、その記録シートを印刷したユーザと一致しない場合には、その複写を禁止するようにも指定できるという効果がある。
【０１０８】
［他の実施例］
本発明の目的は前述したように、実施形態の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【０１０９】
また、コンピュータが読み出したプログラムコードを実行することにより、前述した実施例の機能が実現されるだけでなく、そのプログラムコードの指示に基づき、コンピュータ上で稼動しているＯＳ（オペレーティングシステム）などが実際の処理の一部又は全部を行い、その処理によって前述した実施例の機能が実現される場合も含まれている。
【０１１０】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【０１１１】
以上説明したように本実施例によれば、印刷した記録シートに対して、画像形成中の制御情報、プロセス情報、位置情報、また印刷後のシート束に対する後処理情報などが付加できる。これにより、画像形成装置内のＲＡＭに、このような情報を格納して管理する必要がなくなる。また画像印刷後のシートを後処理工程に移動し、継続して作業を行う場合などに、手作業でシート情報を入力したりする必要が無くなるという効果がある。
【０１１２】
また、ＲＦＩＤタグ用のデータが１枚ごとにある場合などにも、対応する記録シートの全てに対してＲＦＩＤタグを付与する必要がなくなる。
【０１１３】
一つの印刷ジョブに対して１枚の記録シートにだけＲＦＩＤタグを付与できるため、高価なＲＦＩＤタグ付の記録シートを不必要に作成することがなくなり、無駄の発生を抑えることができる。
【０１１４】
また、印刷過程において、記録シートに転写された画像を熱定着する装置などでは、印刷済みの記録シートが定着器を通過した後にＲＦＩＤタグを付与したり、或いはＲＦＩＤタグにデータを書き込むので、タグに対して高熱、高圧が印加されることによる悪影響を防止できる。
【０１１５】
また本実施例によれば、個人認証方法として注目されている指紋照合、網膜パターン照合などのバイオメトリクスを用いて信頼度の高い個人情報を得ることができ、その記録シートを印刷したユーザの個人情報を、その記録シートのＲＦＩＤタグとして記憶させることができる。
【０１１６】
また、そのＲＦＩＤタグのタグＩＤと、その記録シートを印刷したユーザの個人情報とを関連付けて記憶しておくことにより、その後、その記録シートを再度利用する際の不正使用を防ぐことができる。また、その画像が印刷された記録シートの履歴を記憶するようにもできる。
【図面の簡単な説明】
【０１１７】
【図１】本発明の実施例に係る画像形成システムの構成を説明する構造断面図である。
【図２】本発明の実施例１に係る画像形成システムの機能構成を説明するブロック図である。
【図３】本実施例に係る画像形成システムの画像読み取り部の構成を説明する図である。
【図４】本実施例に係るＲＦＩＤタグつきシール付加部の構成を説明するブロック図である。
【図５】本実施例に係るＲＦＩＤタグの構成を説明するブロック図である。
【図６】ＲＦＩＤタグの読取り及び書込み動作を示すタイミング図である。
【図７】ＲＦＩＤタグの制御コマンドを説明する図である。
【図８】ＲＦＩＤタグのメモリのアドレスマップを説明する図である。
【図９】本実施例に係るＲＦＩＤタグリード／ライト部の構成を説明するブロック図である。
【図１０】ＲＦＩＤタグリード／ライト部が発生する搬送波を説明する波形図である。
【図１１】ＲＦＩＤタグライト回路の構成を示すブロック図である。
【図１２】ＲＦＩＤタグリード回路の構成を示すブロック図である。
【図１３】原稿画像を記録シートにコピーする従来の例を説明する図である。
【図１４】本実施例に係る原稿画像を記録シートにコピーする例を説明する図である。
【図１５】本実施例１に係るＲＦＩＤタグの付与処理を説明するフローチャートである。
【図１６】本発明の実施例２に係る画像形成システムの機能構成を説明するブロック図である。
【図１７】本発明の実施例２に係る画像形成システムの操作部の外観図である。
【図１８】本発明の実施例２に係る画像形成システムにおける指紋の読取りを説明する図である。
【図１９】実施例２に係るＲＦＩＤタグのメモリのアドレスマップを説明する図である。
【図２０】本発明の実施例２に係るＲＦＩＤタグへのデータの書込み処理を説明するフローチャートである。
【図２１】本発明の実施例３に係るＲＦＩＤタグのデータの読取り処理を説明するフローチャートである。
【図１】
2005053077.tif 000003
【図２】
2005053077.tif 000004
【図３】
2005053077.tif 000005
【図４】
2005053077.tif 000006
【図５】
2005053077.tif 000007
【図６】
2005053077.tif 000008
【図７】
2005053077.tif 000009
【図８】
2005053077.tif 000010
【図９】
2005053077.tif 000011
【図１０】
2005053077.tif 000012
【図１１】
2005053077.tif 000013
【図１２】
2005053077.tif 000014
【図１３】
2005053077.tif 000015
【図１４】
2005053077.tif 000016
【図１５】
2005053077.tif 000017
【図１６】
2005053077.tif 000018
【図１７】
2005053077.tif 000019
【図１８】
2005053077.tif 000020
【図１９】
2005053077.tif 000021
【図２０】
2005053077.tif 000022
【図２１】
2005053077.tif 000023